(57)【要約】  本発明の一態様は、映像信号が入力され、所定の種類の信号を出力する映像信号処理部と、今回のむら補正データと前回のむら補正データとの異なる部分に対応する補正部分データの転送を行う演算処理部と、前記所定の種類の信号を前記今回のむら補正データに基づき補正するむら補正部と、を備える電子機器である。
2020183699.tif 000002
【特許請求の範囲】
【請求項１】
映像信号が入力され、所定の種類の信号を出力する映像信号処理部と、
今回のむら補正データと前回のむら補正データとの異なる部分に対応する補正部分データの転送を行う演算処理部と、
前記所定の種類の信号を前記今回のむら補正データに基づき補正するむら補正部と、
を備える電子機器。
【請求項２】
前記むら補正部は、前記前回のむら補正データと、前記演算処理部から転送された前記補正部分データと、から前記今回のむら補正データを求める
請求項１に記載の電子機器。
【請求項３】
前記補正部分データは、前記今回のむら補正データにおける前記前回のむら補正データとは異なる部分に対応する補正データであり、
前記前回のむら補正データは、前記映像信号処理部に入力された前記映像信号において、前記演算処理部が前記今回のむら補正データを演算するまでの間に、前記むら補正部が補正に用いたデータであり、
前記今回のむら補正データは、前記映像信号処理部に入力される前記映像信号において、前記むら補正部が補正に用いるデータであって、前記前回のむら補正データにおいて、前記前回のむら補正データにおける前記今回のむら補正データとは異なる部分に対応する補正データを、前記補正部分データに置換した補正データである
請求項１または請求項２に記載の電子機器。
【請求項４】
前記むら補正部は、
前記前回のむら補正データにおいて、前記今回のむら補正データとデータが異なる補正ポイントに対して、前記補正部分データとの置き換えを行い、置換後の補正データを用いてむらを補正する
請求項３に記載の電子機器。
【請求項５】
前記むらは、色むらと輝度むらとを含む
請求項１から請求項４いずれか一項に記載の電子機器。
【請求項６】
前記演算処理部は、前記補正部分データの転送を行う第1の転送モード、第２の転送モード、第３の転送モードを有する
請求項１から請求項５いずれか一項に記載の電子機器。
【請求項７】
前記第１の転送モードは、
前記補正部分データのうちの１データを転送するモードであり、
前記第２の転送モードは、
アドレスを指定したスタートアドレスからＮ番目のアドレスまでインクリメントしながら、各アドレスに対応する前記補正部分データを転送するモードであり、
前記第３の転送モードは、
アドレスを指定したスタートアドレスからＮ番目のアドレスまでインクリメントしながら、スタートアドレスに対応する前記補正部分データと同一のデータを転送するモードである
請求項６に記載の電子機器。
【請求項８】
前記演算処理部は、
前回のむら補正データとは異なるデータであり、かつ当該データと同じデータが連続する回数を表す連続同一カウント数と、
前回のむら補正データとは異なるデータであり、かつ当該データと異なるデータが連続する回数を表す連続カウント数と、を用いて、
前記第１の転送モード、前記第２の転送モードおよび前記第３の転送モードを選択する
請求項６または請求項７に記載の電子機器。
【請求項９】
前記演算処理部は、
前記連続同一カウント数と、前記連続カウント数とに０を代入し、
今回のむら補正データの補正ポイントにおけるデータと前回のむら補正データの補正ポイントにおけるデータとが異なる場合、前回のむら補正データの補正ポイントに今回のむら補正データの補正ポイントにおけるデータを代入し、
さらに、今回のむら補正データの補正ポイントと、補正ポイントのアドレスを１増加した補正ポイントとが、同じデータを有する場合、前記連続同一カウント数を１増加させ、前記連続カウント数を０にし、
一方、今回のむら補正データの補正ポイントと、補正ポイントのアドレスを１増加した補正ポイントとが、異なるデータを有する場合、前記連続同一カウント数を０にし、前記連続カウント数を１増加させる第１カウント数変更処理を行う
請求項８に記載の電子機器。
【請求項１０】
前記演算処理部は、
前記第１カウント数変更処理の結果、
前記連続同一カウント数が３以上の場合、前記第３の転送モードを選択し、前記連続同一カウント数のデータを転送し、その後、前記連続同一カウント数を０にし、
また、前記連続同一カウント数が３以上でなく、前記連続カウント数が２以上の場合、前記第２の転送モードを選択し、前記連続カウント数のデータを転送し、その後、前記連続カウント数を０にし、
また、前記連続同一カウント数が３以上でなく、前記連続カウント数が２以上でもない場合、前記第１の転送モードを選択し、１つのデータを転送し、その後、前記連続同一カウント数および前記連続カウント数を０にする第２カウント数変更処理を行う
請求項９に記載の電子機器。
【請求項１１】
前記演算処理部は、
前記補正ポイントのアドレスを表すＸの値を、Ｘ＝０から１ずつ増加させ、Ｘが最終値になるまで、前記第１の転送モード、前記第２の転送モード、および前記第３の転送モードを、前記連続同一カウント数および前記連続カウント数に応じて選択する、
請求項９または請求項１０に記載の電子機器。
【請求項１２】
光源と、
前記所定の種類の信号に対応して、前記光源が照射する光の透過、遮断を行う液晶パネルと、
前記液晶パネル１１を通過した前記所定の種類の信号のスクリーンへの結像を行う投射レンズと、をさらに有する
請求項１から請求項１１いずれか一項に記載の電子機器。
【請求項１３】
映像信号処理部が、映像信号が入力され、所定の種類の信号を出力する信号出力工程と、
演算処理部が、今回のむら補正データと前回のむら補正データとの異なる部分に対応する補正部分データの転送を行う転送工程と、
むら補正部が、前記所定の種類の信号を前記今回のむら補正データに基づき補正する補正工程と、
を有する電子機器の制御方法。
【発明の詳細な説明】
【技術分野】
【０００１】
本発明は、電子機器および電子機器の制御方法に関する。
【背景技術】
【０００２】
液晶パネルからの光を用いて画像を表示するプロジェクタ、モニタなどの電子機器では、液晶パネルに起因する色むら発生量、および液晶パネルに光を照射する光学系（光源）に起因する輝度むら発生量を低減する必要がある。【０００３】
そのため、従来の液晶パネルプロジェクタ装置では、むら補正パターン（むら補正データ）を用いてＲＧＢ映像信号を補正する（むら補正を行う）ことにより、高品位な投射画像を得ようとしている（例えば、特許文献１を参照）。
【先行技術文献】
【特許文献】
【０００４】
【特許文献１】日本国特開２００６−１５３９１４号公報
【特許文献２】日本国特開２０１４−１１３８１０号公報
【発明の概要】
【発明が解決しようとする課題】
【０００５】
しかしながら、従来においては、むら補正を行う際、大量の補正データを転送する必要があるため、転送のための時間がかかってしまうという問題があった。【０００６】
なお、特許文献２には、第一キャリブレーションの実行で得られた階調補正ＬＵＴ（ルックアップテーブル）と、前回の第一キャリブレーションの実行で得られた参照階調補正ＬＵＴとの差分量（補正データの差分量に対応する）を用いて判定を行う画像形成装置が、開示されている。しかしながら、特許文献２には、判定結果に基づいて、いかなる量の補正データの転送をするかについては開示されていない。【０００７】
本発明は、上記事情に鑑みてなされたものであり、むら補正を行う際の補正データの転送量を少なくし、補正データの時間を低減することが可能となる電子機器および電子機器制御方法を提供することにある。
【課題を解決するための手段】
【０００８】
上記課題を解決するため、本発明の一態様は、映像信号が入力され、所定の種類の信号を出力する映像信号処理部と、今回のむら補正データと前回のむら補正データとの異なる部分に対応する補正部分データの転送を行う演算処理部と、前記所定の種類の信号を前記今回のむら補正データに基づき補正するむら補正部と、を備える電子機器である。【０００９】
また、本発明の一態様は、映像信号処理部が、映像信号が入力され、所定の種類の信号を出力する信号出力工程と、演算処理部が、今回のむら補正データと前回のむら補正データとの異なる部分に対応する補正部分データの転送を行う転送工程と、むら補正部が、前記所定の種類の信号を前記今回のむら補正データに基づき補正する補正工程と、を有する電子機器の制御方法である。
【発明の効果】
【００１０】
本発明の一態様によれば、むら補正を行う際の補正データの転送時間を低減することが可能となる電子機器および電子機器制御方法を提供することができる。
【図面の簡単な説明】
【００１１】
【図１】本発明の一実施形態に係る電子機器の構成例を示すブロック図である。
【図２】図１に示す演算処理部６が演算する補正データを説明するための図である。
【図３】図１に示す演算処理部６が演算する補正データを説明するための図である。
【図４】図１に示す演算処理部６が演算する補正データを説明するための図である。
【図５】図１に示す演算処理部６が演算する補正データを説明するための図である。
【図６】図１に示す演算処理部６が行う補正データの転送処理を示すフローチャートである。
【図７】本発明の実施形態に係る電子機器の最少構成を示す図である。
【発明を実施するための形態】
【００１２】
図１は、本発明の一実施形態に係る電子機器の構成例を示すブロック図である。
図１に示すように、プロジェクタ１００（電子機器）は、映像信号処理部４、ＣＰＵ６（以下、演算処理部６と呼ぶ）、色むら補正部（むら補正部）９、光源１０、液晶パネル１１、投射レンズ１２を含んで構成される。
【００１３】
信号線１は、ＨＤＭＩ（登録商標；Ｈｉｇｈ  Ｄｅｆｉｎｉｔｉｏｎ  Ｍｕｌｔｉｍｅｄｉａ  Ｉｎｔｅｒｆａｃｅ）の通信規格に基づく通信路を表す。映像信号処理部４には、映像信号であるＨＤＭＩ信号が入力される。
【００１４】
信号線２は、リモコン入力に基づく通信路を表す。演算処理部６には、リモコン入力が入力される。
【００１５】
信号線３は、ＬＡＮ入力に基づく通信路を表す。演算処理部６には、ＬＡＮ入力が入力される。ここで、信号線３は、図１においては不図示のパソコンと接続され、当該パソコンは、例えば図２に示す色むら補正設定アプリケーション（詳細については後述する）がインストールされる。
【００１６】
映像信号処理部４は、映像信号が入力され、所定の種類の信号を出力する。
例えば、映像信号処理部４は、ＨＤＭＩ信号が入力され、Ｒ（赤）／Ｇ（緑）／Ｂ（青）の３種の色信号であるＲＧＢ信号を、信号線８に出力する。ここで、映像信号処理部４は、ＲＧＢ信号を変換し出力するか、或いはＲＧＢ信号を変換せずにそのままの状態で信号線８に出力する。
なお、所定の種類の信号は、ＲＧＢ信号とは別フォーマットである、色方向の情報量を抑え輝度方向の情報量を広く取る、ＹＵＶ（Ｙ：輝度信号、Ｕ：輝度成分と青色成分の差分（ＣｂやＰｂとも呼ばれる））、Ｖ：輝度成分と赤色成分の差分（ＣｒやＰｒとも呼ばれる））信号であってもよい。
また、所定の種類の信号とは、液晶パネル１１の解像度と同じ解像度の信号であってもよい。色むら補正部９における補正は、液晶パネル１１の解像度と同じ解像度の信号に対して行う方が、むら補正の精度を高くすることができるためである。
【００１７】
信号線８は、映像信号処理部４と色むら補正部９とを接続する信号線である。映像信号処理部４の出力であるＲＧＢ信号のうちＲ信号と色むら補正部Ｒとが接続される。また、映像信号処理部４の出力であるＲＧＢ信号のうちＧ信号と色むら補正部Ｇとが接続される。また、映像信号処理部４の出力であるＲＧＢ信号のうちＢ信号と色むら補正部Ｂとが接続される。
【００１８】
また、映像信号処理部４は、信号線５から入力されるリモコン／ＬＡＮ入力をもとにメニュー等を表示するオンスクリーンディスプレイ（以下、ＯＳＤと呼ぶ）機能を持つ。
信号線５は、演算処理部６から映像信号処理部４に対してＯＳＤを表示させるための指示を行う信号線を表している。
【００１９】
演算処理部６は、プロジェクタ１００の基本動作を処理する。
演算処理部６は、色むら補正設定アプリケーションがインストールされたパソコンからのＬＡＮ入力に基づいて、色むらデータ（補正データ）を演算し、演算結果である補正データの一部（補正部分データ）を、色むら補正部９に転送する。
以下、本実施形態においては、補正データとして「前回のむら補正データ」と「今回のむら補正データ」とを使用して、説明を続ける。
ここで、「補正部分データ」とは、「今回のむら補正データ」における「前回のむら補正データ」とは異なる部分に対応する補正データである。
また、「前回のむら補正データ」とは、映像信号処理部４に入力された映像信号において、演算処理部６が「今回のむら補正データ」を演算するまでの間に、色むら補正部９が補正に用いたデータである。
そして、「今回のむら補正データ」とは、映像信号処理部４に入力される映像信号において、色むら補正部９が補正に用いるデータであって、「前回のむら補正データにおいて、「前回のむら補正データ」における「今回のむら補正データ」とは異なる部分に対応する補正データを、「補正部分データ」に置換した補正データである。
【００２０】
つまり、「前回のむら補正データ」は、色むら補正部９が補正に用いたデータである。色むら補正部９は、「前回のむら補正データ」を、演算処理部６が「今回のむら補正データ」を演算するまでの間、補正に用いる。
そして、演算処理部６が「今回のむら補正データ」を演算した後、「今回のむら補正データ」における「前回のむら補正データ」とは異なる部分に対応する「補正部分データ」を色むら補正部９に転送する。
色むら補正部９は、「補正部分データ」を受信後、「前回のむら補正データ」において、「前回のむら補正データ」における「今回のむら補正データ」とは異なる部分に対応する補正データを、「補正部分データ」に置換し、「今回のむら補正データ」を作成し、作成した「今回のむら補正データ」を用いて補正を行う。もちろん、色むら補正部９が作成した「今回のむら補正データ」と、演算処理部６が演算した「今回のむら補正データ」とは、同一のデータとなる。
【００２１】
信号線７は、演算処理部６にて演算されて、演算処理部６が持つ色むらデータ（補正データ）の一部である補正部分データを、色むら補正部９に転送するための３線シリアル信号（イネーブル信号、クロック信号、データ信号の３線により構成される）を表す。
【００２２】
色むら補正部９は、入力されたＲＧＢ信号の各画素について、例えば、階調値に補正データを加算することにより、各画素の階調値を補正して、ＲＧＢ信号の色むらを補正する。
ここで、本実施形態においては、色むら補正部９は、自身が作成した「今回のむら補正データ」に基づいて、映像信号処理部からのＲＧＢ信号に色むら補正を行う。
すなわち、演算処理部６が演算した「今回のむら補正データ」のうち、「補正部分データ」とは異なる部分に対応する補正データは、既に転送されていた「前回のむら補正データ」に含まれている。そのため、色むら補正部９は、今回の色むら補正では、演算処理部６が演算した「今回のむら補正データ」のうち、「補正部分データ」とは異なる部分に対応する補正データについては、「前回のむら補正データ」を用いる。
一方、色むら補正部９は、今回の色むら補正では、演算処理部６が演算した「今回のむら補正データ」のうち、「補正部分データ」に対応する補正データは、今回転送されてくる「補正部分データ」を用いる。
このように、色むら補正部９は、「前回のむら補正データ」において、演算処理部６が演算した「今回のむら補正データ」とは異なる補正データに対して、「補正部分データ」との置き換えを行い、置換後の補正データ（「今回のむら補正データ」）を用いて色むら補正を行う（詳細については後述する）。
なお、色むら補正部９は、画像処理/画像変換を行うスケーラもしくは液晶ドライバに内蔵されている。
【００２３】
光源１０は、ランプ、レーザーなどである。光源１０は、液晶パネルに対して光を照射する。
【００２４】
液晶パネル１１は、Ｒ／Ｇ／Ｂの３枚のカラーフィルタを介して、３種の色ＲＧＢの画像（ＲＧＢ信号）に対応して、光源１０が照射する光の透過、遮断を行う。
【００２５】
投射レンズ１２は、液晶パネル１１を通過した３種の色画像（ＲＧＢ信号）のスクリーン（図１においては不図示）への結像を行う。
【００２６】
ここで、図２〜図５を参照しつつ、演算処理部６が演算する補正データについて説明する。図２〜図５は、図１に示す演算処理部６が演算する補正データを説明するための図である。このうち、図２、図４は、プロジェクタ１００における投影画像であり、色むら、輝度むらが発生している例を示している。また、図３、図５は、それぞれ図２、図４に示す投影画像を、補正する際に用いるむら補正データ（補正データ）を示している。
また、図２は、前回の投影画像であり、図３は、図２の設定とした場合の色むら補正値（配列データＤａｔａ＿Ｏｌｄ）を表している。また、図４は、今回の投影画像であり、図５は、図４の設定とした場合の色むら補正値（配列データＤａｔａ＿Ｎｅｗ）を表している。
【００２７】
ここで、図２〜図５において、配列方向として、縦方向は行１〜行１０を、横方向は列１〜列１２を表している、以下、本実施形態では、配列データＤａｔａ＿Ｏｌｄを「前回の補正データＤａｔａ＿Ｏｌｄ［１０×１２］」と呼び、配列データＤａｔａ＿Ｎｅｗを「今回の補正データＤａｔａ＿Ｎｅｗ［１０×１２］」と呼ぶこととする。
また、前回の補正データＤａｔａ＿Ｏｌｄ［１０×１２］、今回の補正データＤａｔａ＿Ｎｅｗ［１０×１２］においては、各行（１ｓｔ、２ｎｄ、３ｒｄ、４ｔｈ、…、１０ｔｈ）の上側の行に、Ｒの色むら補正データを、中側の行に、Ｇの色むら補正データを、下側の行に、Ｂの色むら補正データを、それぞれ示している。
【００２８】
つまり、図２は、前回行った水平幅３、垂直幅３、Ｒ／Ｇ／Ｂ  Ｇａｉｎ  １２８、色むら補正中心点を１行−４列目とした図である。以下、中心点の表記を、座標１−４とする。また、図３は、図２の設定とした場合のＲ／Ｇ／Ｂ  色むら補正値（配列Ｄａｔａ＿Ｏｌｄ［１０×１２］）である。また、図４は、今回行った水平幅３、垂直幅３、Ｒ／Ｂ  Ｇａｉｎ  １２８、Ｇ  Ｇａｉｎ  ９６、色むら補正中心点を座標１−１とした図である。また、図５は、図４の設定とした場合のＲ／Ｇ／Ｂの色むら補正値（Ｄａｔａ＿Ｎｅｗ［１０×１２］）である。
【００２９】
また、図２に示す２０は、前回の、リモコン入力及びＯＳＤによるメニュー表示（ユーザからのリモコン入力）、もしくはＰＣアプリソフトにより指定される補正中心点を表している。
【００３０】
また、図４に示す４０は、今回の、リモコン入力及びメニュー表示、もしくはＰＣアプリソフトにより指定される補正中心点を示している。
【００３１】
また、図５に示す５０〜５２は、以下のような状態を示している。
【００３２】
図５に示す５０は、前のデータと異なるデータが連続する場合を示している。つまり、図５に示す今回の補正データＤａｔａ＿Ｎｅｗ［１０×１２］において、例えば、（行＝１、列＝１〜４）におけるＲの色むら補正データは、１２８、９６、６４、３２である。これに対して、図３に示す前回の補正データＤａｔａ＿Ｏｌｄ［１０×１２］において、（行＝１、列＝１〜４）におけるＲの色むら補正データは、３２、６４、９６、１２８である。すなわち、図５に示す５０は、前のデータと異なるデータが連続する場合を示している。
【００３３】
なお、図５において、前のデータと異なるデータが連続する場合としては、（行＝１、列＝１〜４）におけるＲの色むら補正データ以外に、（行＝１、列＝１〜４）におけるＧの色むら補正データ、（行＝１、列＝１〜４）におけるＢの色むら補正データ、（行＝２、列＝１〜４）におけるＲの色むら補正データ、（行＝２、列＝１〜４）におけるＢの色むら補正データ、（行＝３、列＝１〜４）におけるＲ／Ｇ／Ｂの色むら補正データ、（行＝４、列＝１〜４）におけるＲの色むら補正データ、（行＝４、列＝１〜４）におけるＢの色むら補正データ、の９つの場合がある。
【００３４】
図５に示す５１は、前のデータと異なるかつ同じデータが３つ連続する場合を示している。つまり、図５に示す今回の補正データＤａｔａ＿Ｎｅｗ［１０×１２］において、例えば、（行＝１、列＝５〜７）におけるＲの色むら補正データは、０、０、０である。これに対して、図３に示す前回の補正データＤａｔａ＿Ｏｌｄ［１０×１２］において、（行＝１、列＝５〜７）におけるＲの色むら補正データは、９６、６４、３２である。すなわち、図５に示す５１は、前のデータと異なるかつ同じデータが３つ連続する場合を示している。
【００３５】
なお、図５において、前のデータと異なるかつ同じデータが３つ連続する場合としては、（行＝１、列＝５〜７）におけるＲの色むら補正データ以外に、（行＝１、列＝５〜７）におけるＧ／Ｂの色むら補正データ、（行＝２、列＝５〜７）におけるＲ／Ｇ／Ｂの色むら補正データ、（行＝３、列＝５〜７）におけるＲ／Ｇ／Ｂの色むら補正データ、（行＝４、列＝５〜７）におけるＲ／Ｇ／Ｂの色むら補正データ、の１１個の場合がある。
【００３６】
図５に示す５２は、前のデータと異なる部分と前のデータと同じ部分が混在する場合を示している。つまり、図５に示す今回の補正データＤａｔａ＿Ｎｅｗ［１０×１２］において、例えば、（行＝２、列＝１〜４）におけるＧの色むら補正データは、７２、４８、３６、１６である。これに対して、図３に示す前回の補正データＤａｔａ＿Ｏｌｄ［１０×１２］において、（行＝２、列＝１〜４）におけるＧの色むら補正データは、２４、４８、６４、９６である。すなわち、図５に示す５２は、前のデータと異なる部分（列＝１、３〜４）と前のデータと同じ部分（列＝２）が混在する場合を示している。
【００３７】
なお、図５において、前のデータと異なる部分と前のデータと同じ部分が混在する場合としては、（行＝２、列＝１〜４）におけるＧの色むら補正データ以外に、（行＝４、列＝１〜４）におけるＧの色むら補正データ、の１つの場合がある。
【００３８】
図１に戻って、むらと呼ばれる現象は、色むらと輝度むらに分かれるが、本実施例におけるプロジェクタ１００では、色むら／輝度むらともに使用することが出来る。
ここで、色むらは、液晶パネル１１の特性またはバラつきによって発生し、図２〜図５に示すとおり、Ｒ／Ｇ／Ｂの液晶パネル１１毎に異なる。また、輝度むらは、光源１０のばらつき、光源１０から液晶パネル１１への光の伝達具合等によって発生する。
また、図３、図５に示すとおり、色むら補正データの値はＲ／Ｇ／Ｂ毎にあり、０は補正なしを示す。
【００３９】
以上説明したパネルの特性／ばらつき等によって発生する色むら、光源のばらつき／光の拡散具合によって発生する輝度むらを低減する場合、本実施例におけるプロジェクタ１００では、むら補正を用いる。
【００４０】
その際に、演算処理部６は、ｘを、補正ポイントを表す変数（本実施形態では、ｘ＝１〜１２０（＝上述の行数１０×列数１２）とする）として、前回のむら補正データＤａｔａ＿Ｏｌｄ［ｘ］を控えて（記憶して）おく。
ここで、補正ポイントとは、補正部分データにおける１つの補正データのアドレスを言う。
【００４１】
すなわち、演算処理部６は、今回のむら補正データＤａｔａ＿Ｎｅｗ［ｘ］と前回のむら補正データＤａｔａ＿Ｏｌｄ［ｘ］との異なる部分に対応する補正部分データの転送を行う。
そして、色むら補正部９は、前回のむら補正データＤａｔａ＿Ｏｌｄ［ｘ］において、演算処理部６が演算した今回のむら補正データＤａｔａ＿Ｏｌｄ［ｘ］とデータが異なる補正ポイントに対して、補正部分データとの置き換えを行い、置換後の補正データである今回のむら補正データＤａｔａ＿Ｎｅｗ［ｘ］を用いて色むらを補正する。
【００４２】
これにより、本実施形態では、演算処理部６が今回のむら補正データＤａｔａ＿Ｏｌｄ［ｘ］の全てを送ることなく、その一部である補正部分データを転送するので、データ転送時間を低減することを特徴とする。
【００４３】
また、今回のむら補正データＤａｔａ＿Ｎｅｗ［ｘ］と前回のむら補正データＤａｔａ＿Ｏｌｄ［ｘ］との異なり方により、下記３つの転送モード（第１の転送モード〜第３の転送モード）を有している。
第１のモードは、補正部分データのうちの１データを転送するモードである。
第２のモードは、アドレスを指定したスタートアドレスからＮ番目のアドレスまでインクリメントしながら、各アドレスに対応する補正部分データを転送するモードである。
第３のモードは、アドレスを指定したスタートアドレスからＮ番目のアドレスまでインクリメントしながら、スタートアドレスに対応する補正部分データと同一のデータを転送するモードである。
【００４４】
これにより、演算処理部６は、３つの転送モード（第１の転送モード〜第３の転送モード）を使い分けることにより、データ転送時間を低減することを特徴とする。
【００４５】
ここで、第１の転送モード〜第３の転送モードについて詳述する。
【００４６】
第１の転送モードは、１Ｄａｔａ転送方式であり、データ転送量として、「ＭＯＤＥ（０）＋Ａｄｄｒ＋Ｄａｔａ」を必要とする。
【００４７】
また、第２の転送モードは、Ａｄｄｒ自動ＩＮＣ方式であり、データ転送量として、「ＭＯＤＥ（１）＋Ａｄｄｒ＋Ｄａｔａ１＋Ｄａｔａ２＋…＋ＤａｔａＮ」を必要とする。
【００４８】
また、第３の転送モードは、Ｎ個同一Ｄａｔａ方式であり、データ転送量として、「ＭＯＤＥ（２）＋Ａｄｄｒ＋Ｄａｔａ１＋Ｄａｔａ２（Ｎ）」を必要とする。
【００４９】
ここで、ＭＯＤＥは１ｂｙｔｅで、０：１Ｄａｔａ転送方式／１：Ａｄｄｒ自動ＩＮＣ方式／２：Ｎ個同一Ｄａｔａ方式のどれで行うかを示し、Ａｄｄｒは２ｂｙｔｅ、Ｄａｔａは５ｂｙｔｅ（１補正ポイント当たりの補正量）からなる。
【００５０】
ＭＯＤＥで１を指定すると（演算処理部６が第２の転送モードを選択すると）、Ａｄｄｒ自動ＩＮＣ方式で色むら補正部９は動作し、色むら補正部９はＤａｔａ（５Ｂｙｔｅ）が入力されるたびに、自動的にＡｄｄｒをインクリメントする。上記の例ではＡｄｄｒにＤａｔａ１（５Ｂｙｔｅ）を書き込み、Ａｄｄｒ＋ＮのアドレスにＤａｔａＮを書き込む。
【００５１】
ＭＯＤＥで２を指定すると（演算処理部６が第３の転送モードを選択すると）、Ａｄｄｒ〜Ａｄｄｒ＋Ｎのアドレスに全てＤａｔａ１の値を書き込む。また、１０行×１２列の場合、Ｄａｔａ２（Ｎ）は最大１２０までの値となる。従って、Ｄａｔａ２（Ｎ）は１ｂｙｔｅである。
【００５２】
次に、プロジェクタ１００の補正部分データの転送処理について、図１〜図６を参照しつつ説明する。図６は、図１に示す演算処理部６が行う補正部分データの転送処理を示すフローチャートである。
【００５３】
補正中心点 oｒ Ｈ幅 ｏｒ Ｖ幅 ｏｒ Ｒ  Ｇａｉｎ ｏｒ Ｇ  Ｇａｉｎ ｏｒ Ｂ  Ｇａｉｎ設定を実行する（ステップＳＴ６１）。
演算処理部６は、信号線２から入力されるリモコン入力及びＯＳＤメニュー、もしくはパソコンにインストールされた色むら補正設定アプリケーションソフト（画面イメージは図４参照）により、信号線３から入力されるＬＡＮ入力を介して、今回の補正中心点  座標１−１、水平幅３、垂直幅３、Ｒ／Ｂ  Ｇａｉｎ  １２８、Ｂ  Ｇａｉｎ  ９６のいずれか、もしくは全てを、図４に示す４０に設定する。
なお、いずれかひとつ設定した場合は、新たに設定した項目以外の設定は前回の設定を使用するものとする。
また、ひとつ前の設定では、補正中心点  座標１−４、水平幅３、垂直幅３、Ｒ／Ｇ／Ｂ  Ｇａｉｎ  １２８  を、図２に示す２０に設定したものとする。
【００５４】
１０行×１２列におけるＲ，Ｇ，Ｂ毎の補正値（Ｄａｔａ＿Ｎｅｗ）を求める（ステップＳＴ６２）。
演算処理部６は、今回の設定値を元に１０行×１２列のＲ，Ｇ，Ｂ毎の補正値（図５に示す補正データＤａｔａ＿Ｎｅｗ）を求める。
【００５５】
ｘ←１，連続同一カウント←０，連続カウント←０とする（ステップＳＴ６３）。
演算処理部６は、変数であるｘに初期値１,前のデータと異なるかつ同じデータが連続する回数である「連続同一Ｃｏｕｎｔ」及び前と異なるデータと異なるデータが連続する回数である「連続Ｃｏｕｎｔ」に初期値０を代入する。
【００５６】
ｘ＜＝（１０×１２）か、否かの判定を行う（ステップＳＴ６４）。
ｘ＜＝（１０×１２）の場合（ステップＳＴ６４−Ｙｅｓ）、Ｄａｔａ＿Ｏｌｄ［ｘ］≠Ｄａｔａ＿Ｎｅｗ［ｘ］か、否かの判定を行う（ステップＳＴ６５）。
Ｄａｔａ＿Ｏｌｄ［ｘ］≠Ｄａｔａ＿Ｎｅｗ［ｘ］の場合（ステップＳＴ６５−Ｙｅｓ）、Ｄａｔａ＿Ｏｌｄ［ｘ］←Ｄａｔａ＿Ｎｅｗ［ｘ］とする（ステップＳＴ６６）。
Ｄａｔａ＿Ｎｅｗ［ｘ］＝Ｄａｔａ＿Ｎｅｗ［ｘ＋１］か、否かの判定を行う（ステップＳＴ６７）。
Ｄａｔａ＿Ｎｅｗ［ｘ］＝Ｄａｔａ＿Ｎｅｗ［ｘ＋１］の場合（ステップＳＴ６７−Ｙｅｓ）、連続同一Ｃｏｕｎｔ←連続同一Ｃｏｕｎｔ＋１、連続Ｃｏｕｎｔ←０とする（ステップＳＴ６８）。
一方、Ｄａｔａ＿Ｎｅｗ［ｘ］≠Ｄａｔａ＿Ｎｅｗ［ｘ＋１］の場合（ステップＳＴ６７−Ｎｏ）、連続Ｃｏｕｎｔ←連続Ｃｏｕｎｔ＋１、連続同一Ｃｏｕｎｔ←０とする（ステップＳＴ６９）。
【００５７】
すなわち、演算処理部６は、変数ｘが１０×１２（１０行×１２列）以下の場合（ステップＳＴ６４−Ｙｅｓ）、Ｄａｔａ＿Ｎｅｗ［ｘ］とＤａｔａ＿Ｏｌｄ［ｘ］が違う場合（ステップＳＴ６５−Ｙｅｓ）は、Ｄａｔａ＿Ｏｌｄ［ｘ］にＤａｔａ＿Ｎｅｗ［ｘ］の値を代入し（ステップＳＴ６６）、さらに  Ｄａｔａ＿Ｎｅｗ［ｘ］とＤａｔａ＿Ｎｅｗ［ｘ＋１］（アドレスを１増加した補正ポイントにおけるデータ）が同じ値（同じ補正値）の場合（ステップＳＴ６７−Ｙｅｓ）は、「連続同一Ｃｏｕｎｔ」に＋１（１増加させる処理）を行い、「連続Ｃｏｕｎｔ」を０にする（ステップＳＴ６８）。
【００５８】
一方、演算処理部６は、Ｄａｔａ＿Ｎｅｗ［ｘ］とＤａｔａ＿Ｎｅｗ［ｘ＋１］（アドレスを１増加した補正ポイントにおけるデータ）が異なる値（異なる補正値）の場合（ステップＳＴ６７−Ｎｏ）は、「連続Ｃｏｕｎｔ」に＋１（１増加させる処理）を行い、「連続同一Ｃｏｕｎｔ」を０にする（ステップＳＴ６９）。
なお、演算処理部６が、ステップＳＴ６８、ステップＳＴ６９において行う処理を「第１カウント数変更処理」と呼ぶ。
【００５９】
連続同一Ｃｏｕｎｔ＞＝３か、否かの判定を行う（ステップＳＴ７０）。
連続同一Ｃｏｕｎｔ＜３の場合（ステップＳＴ７０−Ｎｏ）、連続Ｃｏｕｎｔ＞＝２か、否かの判定を行う（ステップＳＴ７１）。
ここで、連続同一Ｃｏｕｎｔ＞＝３の場合（ステップＳＴ７０−Ｙｅｓ）、Ｍｏｄｅ：２として連続同一Ｃｏｕｎｔ個  同一Ｄａｔａ方式で転送を行う（ステップＳＴ７２）。
そして、連続同一Ｃｏｕｎｔ←０とする（ステップＳＴ７５）。
また、連続Ｃｏｕｎｔ＞＝２の場合（ステップＳＴ７１−Ｙｅｓ）、Ｍｏｄｅ：１として連続Ｃｏｕｎｔ個  Ａｄｄ自動ＩＮＣ方式で転送を行う（ステップＳＴ７３）。
そして、連続Ｃｏｕｎｔ←０とする（ステップＳＴ７６）。
また、連続Ｃｏｕｎｔ＜２の場合（ステップＳＴ７１−Ｎｏ）、Ｍｏｄｅ：０として１Ｄａｔａ転送方式で転送を行う（ステップＳＴ７４）。
そして、連続同一Ｃｏｕｎｔ←０、連続Ｃｏｕｎｔ←０とする（ステップＳＴ７７）。
【００６０】
すなわち、演算処理部６は、「連続同一Ｃｏｕｎｔ」が３以上の場合（ステップＳＴ７０−Ｙｅｓ）、ＭＯＤＥ：２として上記Ｎ個同一Ｄａｔａ方式（第３の転送モード）で、色むら補正部９に連続同一Ｃｏｕｎｔ個を（連続同一カウント数）転送し（ステップＳＴ７２）、「連続同一Ｃｏｕｎｔ」を０にする。（ステップＳＴ７５）。
【００６１】
また、演算処理部６は、「連続同一Ｃｏｕｎｔ」が３以上でなく（ステップＳＴ７０−Ｎｏ）、「連続Ｃｏｕｎｔ」が２以上の場合（ステップＳＴ７１−Ｙｅｓ）、ＭＯＤＥ：１として上記Ａｄｄ自動ＩＮＣ方式（第２の転送モード）で、色むら補正部９に連続Ｃｏｕｎｔ個を（連続カウント数）転送し（ステップＳＴ７３）、「連続Ｃｏｕｎｔ」を０にする（ステップＳＴ７６）。
【００６２】
また、演算処理部６は、「連続同一Ｃｏｕｎｔ」が３以上でなく（ステップＳＴ７０−Ｎｏ）、「連続Ｃｏｕｎｔ」が２以上でもない場合（ステップＳＴ７１−Ｎｏ）、ＭＯＤＥ：０として上記１Ｄａｔａ転送方式（第１の転送モード）で、色むら補正部９に１Ｄａｔａ転送を行い（ステップＳＴ７４）、「連続同一Ｃｏｕｎｔ」及び「連続Ｃｏｕｎｔ」を０にする（ステップＳＴ７７）。
なお、演算処理部６が、ステップＳＴ７２、ステップＳＴ７３、ステップＳＴ７４において行う処理を「第２カウント数変更処理」と呼ぶ。
【００６３】
Ｘ←Ｘ＋１とする（ステップＳＴ７８）。
演算処理部６は、変数ｘにｘ＋１を代入し、すなわち１増加させ（ステップＳＴ７８）、変数ｘが１０×１２（１０行×１２列）＝１２０（最終値）を超えるまで（ステップＳＴ６４−Ｎ）、上記の処理を行う。
【００６４】
続いて、データ転送量の大小に関して、従来方式と本実施形態の方式による比較を行う。
従来方式では、図５の色むらデータを転送するために、転送方式としてＡｄｄ自動ＩＮＣ方式（第２の転送モード）を用いて、転送を行うため、「ＭＯＤＥ（１）＋ＲＥＤ  Ａｄｄｒ＋Ｄａｔａ１＋Ｄａｔａ２＋…＋Ｄａｔａ１２０」＝１＋２＋５×１２０＝６０３ｂｙｔｅ、「ＭＯＤＥ（１）＋Ｇｒｅｅｎ  Ａｄｄｒ＋Ｄａｔａ１＋Ｄａｔａ２＋…＋Ｄａｔａ１２０」＝１＋２＋５×１２０ｂｙｔｅ＝６０３ｂｙｔｅ、「ＭＯＤＥ（１）＋ＢＬＵＥ  Ａｄｄｒ＋Ｄａｔａ１＋Ｄａｔａ２＋…＋Ｄａｔａ１２０」＝１＋２＋５×１２０＝６０３ｂｙｔｅの、計１８０９ｂｙｔｅが必要であった。
【００６５】
これに対して、本実施形態の方式では、下記（１）〜（４）に示すデータ転送量となる。
【００６６】
（１）図５に示す補正データＤａｔａ＿Ｎｅｗにおける５０、５１、５２の部分以外は、図３に示す補正データＤａｔａ＿Ｏｌｄにおける図５に示す５０、５１、５２の部分に対応する部分以外とは、同じ補正値０であるため転送をしない。
【００６７】
（２）図５に示す補正データＤａｔａ＿Ｎｅｗにおける５１の処理を行う部分
例えば、図５に示す今回の補正データＤａｔａ＿Ｎｅｗ［１０×１２］において、（行＝１、列＝５〜７）におけるＲの色むら補正データは、前のデータと異なるかつ同じデータが３つ連続する場合を示している。
つまり、図５に示す今回の補正データＤａｔａ＿Ｎｅｗ［１０×１２］において、（行＝１、列＝５〜７）におけるＲの色むら補正データは、０、０、０である。
一方、図３に示す前回の補正データＤａｔａ＿Ｏｌｄ［１０×１２］において、（行＝１、列＝５〜７）におけるＲの色むら補正データは、９６，６４，３２である。
【００６８】
そこで、演算処理部６は、図５に示す今回の補正データＤａｔａ＿Ｎｅｗ［１０×１２］において、（行＝１、列＝５〜７）におけるＲの色むら補正部分データを、Ｒｅｄ  Ａｄｄを５とし、連続カウント数（連続Ｃｏｕｎｔ）＝３個の同一データ０を転送するＭＯＤＥ（２）、すなわちＮ（Ｎ＝３）個同一Ｄａｔａ方式（第３の転送モード）により、Ｄａｔａ１（補正データ＝０）、Ｄａｔａ２（Ｎ＝３）を転送すればよい。
すなわち、図５に示す今回の補正データＤａｔａ＿Ｎｅｗ［１０×１２］において、（行＝１、列＝５〜７）におけるＲの色むら補正部分データのデータ転送量は、「ＭＯＤＥ（２）＋ＲＥＤ  Ａｄｄｒ＋Ｄａｔａ１：０＋Ｄａｔａ２：３」＝１＋２＋５＋１＝９ｂｙｔｅとなる。
【００６９】
また、図５に示す今回の補正データＤａｔａ＿Ｎｅｗ［１０×１２］において、（行＝１、列＝５〜７）におけるＲ／Ｂの色むら補正データ、（行＝２、列＝５〜７）におけるＲ／Ｇ／Ｂの色むら補正データ、（行＝３、列＝５〜７）におけるＲ／Ｇ／Ｂの色むら補正データ、（行＝４、列＝５〜７）におけるＲ／Ｇ／Ｂの色むら補正データも、（行＝１、列＝５〜７）におけるＲの色むら補正データと同じく、前のデータと異なるかつ同じデータが３つ連続する場合を示している。
【００７０】
そのため、図５に示す今回の補正データＤａｔａ＿Ｎｅｗ［１０×１２］において、前のデータと異なるかつ同じデータが３つ連続する場合の補正部分データのデータ転送量は、９ｂｙｔｅ×３（Ｒ／Ｇ／Ｂ）×４（行＝１（１ｓｔ）〜４（４ｔｈ））＝１０８ｂｙｔｅとなる。
【００７１】
（３）図５に示す補正データＤａｔａ＿Ｎｅｗにおける５０の処理を行う部分
例えば、図５に示す今回の補正データＤａｔａ＿Ｎｅｗ［１０×１２］において、（行＝１、列＝１〜４）におけるＲの色むら補正データは、前のデータと異なるデータが連続する場合を示している。
つまり、図５に示す今回の補正データＤａｔａ＿Ｎｅｗ［１０×１２］において、（行＝１、列＝１〜４）におけるＲの色むら補正データは、１２８、９６、６４、３２である。
一方、図３に示す前回の補正データＤａｔａ＿Ｏｌｄ［１０×１２］において、（行＝１、列＝１〜４）におけるＲの色むら補正データは、３２、６４、９６、１２８である。
【００７２】
そこで、演算処理部６は、図５に示す今回の補正データＤａｔａ＿Ｎｅｗ［１０×１２］において、（行＝１、列＝１〜４）におけるＲの色むら補正部分データを、Ｒｅｄ  Ａｄｄを１とし、連続同一カウント数（連続同一Ｃｏｕｎｔ）＝４個のデータを転送するＭＯＤＥ（１）、すなわちＡＤＤ自動ＩＮＣ方式（第２の転送モード）により、Ｄａｔａ１（補正データ＝１２８）、Ｄａｔａ２（補正データ＝９６）、Ｄａｔａ３（補正データ＝６４）、Ｄａｔａ４（補正データ＝３２）を転送すればよい。
よって、図５に示す今回の補正データＤａｔａ＿Ｎｅｗ［１０×１２］において、（行＝１、列＝１〜４）におけるＲの色むら補正部分データのデータ転送量は、「ＭＯＤＥ（１）＋ＲＥＤ  Ａｄｄｒ＋Ｄａｔａ１〜Ｄａｔａ４」＝１＋２＋５×４＝２３ｂｙｔｅとなる。
【００７３】
また、図５に示す今回の補正データＤａｔａ＿Ｎｅｗ［１０×１２］において、（行＝１、列＝１〜４）におけるＧ／Ｂの色むら補正データ、（行＝２、列＝１〜４）におけるＲ／Ｂの色むら補正データ、（行＝３、列＝１〜４）におけるＲ／Ｇ／Ｂの色むら補正データ、（行＝４、列＝１〜４）におけるＲ／Ｂの色むら補正データも、（行＝１、列＝１〜４）におけるＲの色むら補正データと同じく、前のデータと異なるデータが連続する場合を示している。
【００７４】
そのため、図５に示す今回の補正データＤａｔａ＿Ｎｅｗ［１０×１２］において、前のデータと異なるデータが連続する場合の補正部分データのデータ転送量は、２３ｂｙｔｅ×１０か所＝２３０ｂｙｔｅとなる。
【００７５】
（４）図５に示す補正データＤａｔａ＿Ｎｅｗにおける５２の処理を行う部分
例えば、図５に示す今回の補正データＤａｔａ＿Ｎｅｗ［１０×１２］において、（行＝２、列＝１〜４）におけるＧの色むら補正データは、前のデータと異なる部分と前のデータと同じ部分が混在する場合を示している。
つまり、図５に示す今回の補正データＤａｔａ＿Ｎｅｗ［１０×１２］において、（行＝２、列＝１〜４）におけるＧの色むら補正データは、７２、４８、３６、１６である。
一方、図３に示す前回の補正データＤａｔａ＿Ｏｌｄ［１０×１２］において、（行＝２、列＝１〜４）におけるＧの色むら補正データは、２４、４８、６４、９６である。
すなわち、今回の補正データＤａｔａ＿Ｎｅｗ［１０×１２］において、（行＝２、列＝１〜４）におけるＧの色むら補正データは、前のデータと異なる部分（列＝１、３〜４）と前のデータと同じ部分（列＝２）が混在する場合を示している。
【００７６】
そこで、演算処理部６は、図５に示す今回の補正データＤａｔａ＿Ｎｅｗ［１０×１２］において、（行＝２、列＝１）におけるＧの色むら補正部分データを、ＧＲＥＥＮ  Ａｄｄを１とし、１データを転送するＭＯＤＥ（０）、すなわち１Ｄａｔａ転送方式（第１の転送モード）により、Ｄａｔａ（補正データ＝７２）を転送する。
また、演算処理部６は、図５に示す今回の補正データＤａｔａ＿Ｎｅｗ［１０×１２］において、（行＝２、列＝３〜４）におけるＧの色むら補正部分データを、ＧＲＥＥＮ  Ａｄｄを３とし、連続カウント数（連続Ｃｏｕｎｔ）＝２個のデータを転送するＭＯＤＥ（１）、すなわちＡＤＤ自動ＩＮＣ方式（第２の転送モード）により、Ｄａｔａ１（補正データ＝３６）、Ｄａｔａ２（補正データ＝１６）を転送する。
【００７７】
なお、演算処理部６は、図５に示す今回の補正データＤａｔａ＿Ｎｅｗ［１０×１２］において、（行＝２、列＝２）におけるＧの色むら補正データを、図３に示す補正データＤａｔａ＿Ｏｌｄの（行＝２、列＝２）におけるＧの色むら補正データとは、同じ補正値４８であるため、転送をしない。
【００７８】
よって、図５に示す今回の補正データＤａｔａ＿Ｎｅｗ［１０×１２］において、（行＝２、列＝１〜４）におけるＧの色むら補正部分データのデータ転送量は、「ＭＯＤＥ（０）＋ＧＲＥＥＮ  Ａｄｄｒ＋Ｄａｔａ」＝１＋２＋５＝８ｂｙｔｅと、「ＭＯＤＥ（２）＋ＧＲＥＥＮ  Ａｄｄｒ＋Ｄａｔａ１＋Ｄａｔａ２」＝１＋２＋５×２＝１３ｂｙｔｅとの合計値２１Ｂｙｔｅとなる。
【００７９】
また、図５に示す今回の補正データＤａｔａ＿Ｎｅｗ［１０×１２］において、（行＝４、列＝１〜４）におけるＧの色むら補正データも、（行＝２、列＝１〜４）におけるＧの色むら補正データと同じく、前のデータと異なる部分と前のデータと同じ部分が混在する場合を示している。
【００８０】
そのため、図５に示す今回の補正データＤａｔａ＿Ｎｅｗ［１０×１２］において、前のデータと異なる部分と前のデータと同じ部分が混在する場合の補正部分データのデータ転送量は、２１ｂｙｔｅ×２か所＝４２ｂｙｔｅとなる。
【００８１】
以上より、前回と異なる補正部分データを転送する際のデータ転送量の総量は、総量＝（１）０ｂｙｔｅ＋（２）１０８ｂｙｔｅ＋（３）２３０ｂｙｔｅ＋（４）４２ｂｙｔｅ＝３８０ｂｙｔｅとなる。
【００８２】
このように本実施形態のプロジェクタ１００では、従来の方式によるデータ転送量（上記説明では１８０９ｂｙｔｅ）を３８０ｂｙｔｅまで小さくできるので、むら補正を行う際の補正データの転送時間を低減することが可能となる。
【００８３】
また、従来の方式ではデータ転送量が多いため、映像が見えている期間（ＶＳＹＮＣ期間以外）に色むらデータ転送を行うと、色むらデータはＬＵＴ（Ｌｏｏｋｕｐ  ｔａｂｌｅ：ルックアップテーブル）のため、映像のごみが表示されるという問題があった。映像のごみを表示させないために、ＶＳＹＮＣ期間に色むらデータを転送すると時間がかかるため、色むらが順次補正している過程がユーザーに見えてしまうという問題があった。
本発明の方式を用いた場合、色むらデータ転送量が低減されるため、ＶＳＹＮＣ期間中に転送を行っても、転送時間が短いために順次補正している過程がユーザーに気づかれにくいという利点もある。
【００８４】
また、転送時間が低減されるため、演算処理部６の処理が占有される時間も低減され、さらにＶＳＹＮＣ期間に行うことにより演算処理部６の負荷も低減される。すなわち、転送中はＣＰＵの処理が占有される／高負荷となるため、ユーザーが信号線２によりリモコン入力等によるオンスクリーンディスプレイ（ＯＳＤ）を行うとユーザー操作、ＯＳＤが表示できない、という問題を解決することもできる。
【００８５】
次に、図７を参照して、上記実施形態の最少構成について説明する。図７は、本発明の実施形態に係る電子機器の最少構成を示す図である。
プロジェクタ１００（電子機器）は、映像信号処理部４と、演算処理部６と、色むら補正部（むら補正部）９と、を備える。
映像信号処理部４は、ＨＤＭＩ信号（映像信号）が入力され、Ｒ／Ｇ／Ｂ信号（所定の種類の信号）を出力する。
演算処理部６は、今回のむら補正データと前回のむら補正データとの異なる部分に対応する補正部分データの転送を行う。
色むら補正部９は、Ｒ／Ｇ／Ｂ信号を今回のむら補正データに基づき補正する。
【００８６】
以上のように本発明の実施形態や最少構成例によれば、演算処理部６が色むら補正部９へ転送する補正データの量を、従来に比べて少なくできるので、むら補正を行う際の補正データの転送時間を低減することが可能となる。
【００８７】
以上、この発明の実施形態を、図面を参照して詳述してきたが、具体的な構成はこの実施形態に限られるものではなく、この発明の要旨を逸脱しない範囲の設計等も含まれる。また、上記実施形態が有する１または複数のＣＰＵ等のコンピュータが実行するプログラムの一部または全部は、通信回線やコンピュータ読取可能な記録媒体を介して頒布することができる。
【符号の説明】
【００８８】
１，２，３，５，７，８…信号線、４…映像信号処理部、６…演算処理部（ＣＰＵ）、９…色むら補正部、１０…光源、１１…液晶パネル、１２…投射レンズ
【図１】
2020183699.tif 000003
【図２】
2020183699.tif 000004
【図３】
2020183699.tif 000005
【図４】
2020183699.tif 000006
【図５】
2020183699.tif 000007
【図６】
2020183699.tif 000008
【図７】
2020183699.tif 000009
【手続補正書】
【提出日】令和3年8月25日(2021.8.25)
【手続補正１】
【補正対象書類名】明細書
【補正対象項目名】００４１
【補正方法】変更
【補正の内容】
【００４１】
すなわち、演算処理部６は、今回のむら補正データＤａｔａ＿Ｎｅｗ［ｘ］と前回のむら補正データＤａｔａ＿Ｏｌｄ［ｘ］との異なる部分に対応する補正部分データの転送を行う。
そして、色むら補正部９は、前回のむら補正データＤａｔａ＿Ｏｌｄ［ｘ］において、演算処理部６が演算した今回のむら補正データＤａｔａ＿Ｎｅｗ［ｘ］とデータが異なる補正ポイントに対して、補正部分データとの置き換えを行い、置換後の補正データである今回のむら補正データＤａｔａ＿Ｎｅｗ［ｘ］を用いて色むらを補正する。
【手続補正２】
【補正対象書類名】明細書
【補正対象項目名】００４２
【補正方法】変更
【補正の内容】
【００４２】
これにより、本実施形態では、演算処理部６が今回のむら補正データＤａｔａ＿Ｎｅｗ［ｘ］の全てを送ることなく、その一部である補正部分データを転送するので、データ転送時間を低減することを特徴とする。
【国際調査報告】
2020183699.tif 000010
2020183699.tif 000011
2020183699.tif 000012
2020183699.tif 000013